(57)【要約】【課題】  簡易に柄に長さが調整でき、耐久性の高い舗装材料の敷均しレーキを提供する【解決手段】  均し板と、前記均し板を先端に固定した第１の柄と、前記第１の柄を内部に収納できるよう円筒状の第２の柄からなり、前記第１の柄の前記第２の柄の内部に収納される方の先端に締付け固定具を備えることにより、第２の柄を所定方向に捻ることで第１の柄と第２の柄の締付け固定を解除し、逆方向に捻ることで第１の柄と第２の柄を締付け固定することにより、全体の柄の長さを自由に変更できる舗装材料の敷均しレーキにおいて、前記締付け固定具と前記第１の柄を、リベット、ピン、ねじ、ボルト、ボルトとナットの組合せのいずれかより一つ選択される金具により固定させたことを特徴とする伸縮自在の舗装材料敷均しレーキ。【選択図】図４
0003121039.tif 000002
【実用新案登録請求の範囲】
【請求項１】
均し板と、前記均し板を先端に固定した第１の柄と、前記第１の柄を内部に収納できるよう円筒状の第２の柄からなり、前記第１の柄の前記第２の柄の内部に収納される方の先端に締付け固定具を備えることにより、第２の柄を所定方向に捻ることで第１の柄と第２の柄の締付け固定を解除し、逆方向に捻ることで第１の柄と第２の柄を締付け固定することにより、全体の柄の長さを自由に変更できる舗装材料の敷均しレーキにおいて、前記締付け固定具と前記第１の柄を、リベット、ピン、ねじ、ボルト、ボルトとナットの組合せのいずれかより一つ選択される金具により固定させたことを特徴とする伸縮自在の舗装材料敷均しレーキ。
【考案の詳細な説明】
【技術分野】
【０００１】  本考案は、路盤材料、アスファルト混合物、コンクリート等舗装材料を好適に敷均すことのできる舗装材料の敷均しレーキに関する。
【背景技術】
【０００２】  路盤材料、アスファルト混合物、コンクリート等舗装材料を人力で敷均すとき、一般的にレーキを用い敷均し作業を行っている。ここで、たとえば補修作業で舗設箇所の近傍を車両や歩行者を通行させながら作業を行う場合は、舗設箇所中央部付近を施工する場合は柄の長いレーキを用い、端部を施工するときは、車両や歩行者の邪魔にならないよう柄の短いレーキを用いなければならない。このように、１箇所の舗設作業を行うのに、柄の長さの異なるレーキを何種類も揃えておく必要がある。【０００３】  これに対し、特許文献１に示されているように、柄の長さが作業状況に応じてワンタッチで調整できる舗装用レーキがある。これであれば、柄の長さを自由に、若しくは段階的に調整できるため、何種類もの柄の長さの異なるレーキを用いる必要がなく、作業性が著しく向上するものである。このうち、柄が二重になっており、外側の柄を捻るだけで簡単に柄の長さが調整できるものが最も利用性が高い。
【特許文献１】実用新案登録番号第３００７０３２号
【考案の開示】
【考案が解決しようとする課題】
【０００４】  しかしながら、柄の長さを調整し固定するための固定具が脆弱であるため、比較的使用早期に柄の固定ができなくなり、これによって、柄の長さの調整が行えず、舗装材料の敷均しレーキとしての耐久性が低いという問題があった。【０００５】  本考案の課題は、簡易に柄に長さが調整でき、耐久性の高い舗装材料の敷均しレーキを提供することにある。
【課題を解決するための手段】
【０００６】  上記課題を解決するため、本考案は以下のように構成されている。
均し板と、前記均し板を先端に固定した第１の柄と、前記第１の柄を内部に収納できるよう円筒状の第２の柄からなり、前記第１の柄の前記第２の柄の内部に収納される方の先端に締付け固定具を備えることにより、第２の柄を所定方向に捻ることで第１の柄と第２の柄の締付け固定を解除し、逆方向に捻ることで第１の柄と第２の柄を締付け固定することにより、全体の柄の長さを自由に変更できる舗装材料の敷均しレーキにおいて、前記締付け固定具と前記第１の柄を、リベット、ピン、ねじ、ボルト、ボルトとナットの組合せのいずれかより一つ選択される金具により固定させたことを特徴とする伸縮自在の舗装材料敷均しレーキである。金具で第１の柄（二重の柄で内側に入り込むほうの柄）と締付け固定具を固定することで締付け固定具の耐久性が向上し、伸縮自在性を長期間維持でき、作業性の高い舗装材料敷均しレーキとしての耐久性が著しく向上する。
【考案の効果】
【０００７】  以上のような構成の伸縮自在の舗装材料敷均しレーキとすることで、舗設箇所や作業スペースに応じ自由に柄の長さが調整でき、作業性が著しく向上するレーキを、長期間その特性を維持した状態で耐用できる。
【考案を実施するための最良の形態】
【０００８】  以下に、本考案を実施するための最良の形態について、図面を用いて説明する。
図１は、伸縮自在の舗装材料敷均しレーキ１の平面図である。柄は二重になっており、均し板４を均し板固定金具５を介して先端に取り付けられている第１の柄２と、第１の柄２を内部に収納できるよう円筒状になっている第２の柄３からなっている。第１の柄２は第２の柄３の内部に挿入され、第１の柄２の第２の柄３に収納されている方の先端、即ち、均し板４が固定されている方とは反対方向の先端には、第１の柄２と第２の柄３を締付け固定させる締付け固定具６が取り付けられている。【０００９】  図２は締付け固定具６の立面図、図３は従来の締付け固定具６の平面図を示したものである。締付け固定具６は、深さが徐々に異なっていく溝部７ａを備えた略円柱形の支持部７と、端部が太くなっているＣ型止輪８からなり、Ｃ型止輪８は、図２の破線矢印に示すように、溝部７ａに嵌め込まれている。一方、支持部７は図３のように第１の柄２に固定されており、さらに第２の柄３（図３においては図示しない）に挿入されている。ここで、図２の実線の矢印方向に捻れば、締付け固定具６を介して第１に柄２と第２の柄３が固定される。逆方向に捻れば固定が解除される。固定を解除した状態で、第１の柄２と第２の柄３をスライドさせ、柄の長さが所望長さになった位置で固定させればよい。【００１０】  ここで、図３のように従来のものは、締付け固定具６は第１の柄２と接着剤９によって固定されているだけであるので、固定及び固定解除の操作を繰り返すと、比較的早期に接着剤９が破損し、締付け固定具６と第１の柄２の定着が損なわれる。即ち、第１に柄２と第２の柄３が固定できない状態となり、舗装材料敷均しレーキとしての耐久性が低い。【００１１】  そこで、本考案による伸縮自在の舗装材料敷均しレーキは、図４平面図に示すように、第１の柄２を貫通し、締付け固定具６の途中まで金具１０を挿入し、締付け固定具６と第１の柄２を金具１０で固定する。金具１０は、その頭部１０ａが第２の柄３に収納されるとき支障の無い形状、大きさであれば、リベットでも、ピンでも、ねじでも、ボルトでもよいし、寸切りボルトを埋込み、ナットで固定するものでもよい。【００１２】  また、図５平面図に示すように、別の形態の金具１１は第１の柄２と締付け固定具６を全て貫通するような棒状のリベット、ピン、ねじ、ボルトとナットの組合せでもよい。この場合も、頭部１１ａは第２の柄３に収納されるとき支障の無いものとする。【００１３】  これら図４に示す金具１０や図５に示す別の形態の金具１１を用い締付け固定具６と第１の柄２を固定することにより、締付け固定具６を接着剤で固定していた従来品に比べ、はるかに耐久性が向上する。これによって、本考案の伸縮自在の舗装材料敷均しレーキは、従来の伸縮自在の舗装材料すき均しレーキに比べ、耐用寿命がはるかに向上し、長期間、便利で作業性の高い状態を維持できる。
【図面の簡単な説明】
【００１４】
【図１】  本考案による伸縮自在の舗装材料敷均しレーキの平面図である。
【図２】  締付け固定具６の立面図である。
【図３】  従来の締付け固定具６と第１の柄２との固定部分の平面図である。
【図４】  本考案の締付け固定具６と第１の柄２との固定部分の平面図である。
【図５】  本考案の別の形態の金具１１による締付け固定具６と第１の柄２との固定部分の平面図である。
【符号の説明】
【００１５】１        伸縮自在の舗装材料敷均しレーキ
２        第１の柄
３        第２の柄
４        均し板
５        均し板固定金具
６        締付け固定具
７        支持部７
７ａ      溝部
８        Ｃ型止輪
９        接着剤
１０      金具
１０ａ    金具１０の頭部
１１      別の形態の金具
１１ａ    別の形態の金具１１の頭部
【図１】
0003121039.tif 000003
【図２】
0003121039.tif 000004
【図３】
0003121039.tif 000005
【図４】
0003121039.tif 000006
【図５】
0003121039.tif 000007